(57)【要約】      （修正有）【課題】火災などの異常を監視する連動型の警報システムを活用して少ないコスト負担で緊急呼出を可能とする。【解決手段】監視エリアに複数の住警器１０−１〜１０−６を配置し、ある住警器１０−１で異常を検出した時に連動元を示す警報を出力すると共に他の住警器１０−２〜１０−６に異常を示すイベント信号を送信して連動先を示す警報を出力させる。監視エリアには、入力操作により緊急呼出イベント信号を送信する１又は複数の緊急呼出装置１５を設ける。住警器１０−１は緊急呼出装置１５からの緊急呼出イベント信号を受信して緊急呼出を出力すると共に、他の住警器１０−２〜１０−６に緊急呼出イベント信号を送信して緊急呼出を連動して出力させる。【選択図】図３
2011081595.tif 000002
【特許請求の範囲】
【請求項１】
監視エリアに複数の警報器を配置し、ある警報器で異常を検出した時に連動元を示す警報を出力すると共に他の警報器に異常を示すイベント信号を送信して連動先を示す警報を出力させる警報システムに於いて、
入力操作により緊急呼出イベント信号を送信する１又は複数の緊急呼出装置を設け、前記緊急呼出装置からの緊急呼出イベント信号を受信した警報器は緊急呼出を出力することを特徴とする警報システム。
【請求項２】
監視エリアに複数の警報器を配置し、ある警報器で異常を検出した時に連動元を示す警報を出力すると共に他の警報器に異常を示すイベント信号を送信して連動先を示す警報を出力させる警報システムに於いて、
入力操作により緊急呼出イベント信号を送信する１又は複数の緊急呼出装置を設け、前記緊急呼出装置からの緊急呼出イベント信号を受信した警報器は緊急呼出を出力すると共に、他の警報器に緊急呼出イベント信号を送信して緊急呼出を連動して出力させることを特徴とする警報システム。
【請求項３】
請求項１又は２記載の警報システムに於いて、前記警報器は緊急呼出イベント信号を処理するか否かを設定する機能を設け、緊急呼出イベント信号の処理を設定した警報器のみが前記緊急呼出イベント信号を受信して緊急呼出を出力することを特徴とする警報システム。
【請求項４】
請求項１又は２記載の警報システムに於いて、予め定めた複数の警報器で緊急呼出の連動グループを構成し、前記緊急呼出の連動グループに属する警報器のみが前記緊急呼出イベント信号を受信して緊急呼出を出力することを特徴とする警報システム。
【請求項５】
請求項１又は２記載の警報システムに於いて、複数の警報器につき親機と子機を設定した場合、親機に設定された警報器のみが前記緊急呼出イベント信号を受信して緊急呼出を出力することを特徴とする警報システム。
【請求項６】
請求項１又は２記載の警報システムに於いて、前記警報器は、緊急呼出として音声メッセージを出力することを特徴とする警報システム。
【請求項７】
請求項１又は２記載の警報システムに於いて、前記緊急呼出装置は、割当て番号を含む緊急呼出イベント信号を送信し、前記警報器は緊急呼出として前記割当て番号を含む緊急呼出しの音声メッセージを出力することを特徴とする警報システム。
【請求項８】
請求項６又は８記載の警報システムに於いて、前記警報器は、緊急呼出として更に表示灯を動作することを特徴とする警報システム。
【請求項９】
請求項１又は２記載の警報システムに於いて、前記警報器は、緊急呼出イベント信号を受信して緊急呼出を出力した場合、確認応答イベント信号を前記緊急呼出装置に送信して確認応答を出力させることを特徴とする警報システム。
【請求項１０】
請求項９記載の警報システムに於いて、前記緊急呼出装置は、前記確認応答イベント信号が受信されない場合、前記緊急呼出イベント信号の確認応答が得られるまで所定回数リトライ送信することを特徴とする警報システム。
【請求項１１】
請求項１又は２記載の警報システムに於いて、前記緊急呼出装置は緊急呼出イベント信号を無線送信することを特徴とする警報システム。
【請求項１２】
請求項１又は２記載の警報システムに於いて、前記緊急呼出装置は、特定の警報器に信号線により接続され、緊急呼出イベント信号を有線送信することを特徴とする警報システム。
【請求項１３】
監視エリアの物理的現象を検出して出力するセンサ部と、
警報音と警報表示により異常警報を出力する報知部と、
前記センサ部の検出出力による異常の有無を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出した時に、前記報知部からの警報音と警報表示により連動元を示す異常警報を出力させると共に、異常を示すイベント信号を他の警報器に送信させ、一方、他の警報器から異常を示すイベント信号を受信した時に、前記報知部からの警報音と警報表示により連動先を示す異常警報を出力させる警報処理部と、
を設けた警報器に於いて、
監視エリアに配置した入力操作により緊急呼出イベント信号を送信する１又は複数の緊急呼出装置からの緊急呼出イベント信号を受信して緊急呼出を出力すると共に、他の警報器に緊急呼出イベント信号を送信して緊急呼出を連動して出力させる緊急呼出受信処理部を設けたことを特徴とする警報器。
【請求項１４】
請求項１３記載の警報器に於いて、前記警報器は緊急呼出イベント信号を処理するか否かを選択する緊急呼出選択操作手段を設け、緊急呼出イベント信号の処理を選択した場合にのみが前記緊急呼出受信処理部を動作させることを特徴とする警報器。
【請求項１５】
請求項１３記載の警報器に於いて、前記緊急呼出受信処理部は、緊急呼出として音声メッセージを出力すると共に表示灯を動作させることを特徴とする警報器。
【請求項１６】
請求項１３記載の警報器に於いて、前記緊急呼出受信処理部は、前記緊急呼出装置から割当て番号を含む緊急呼出イベント信号を受信し、前記緊急呼出として前記割当て番号を含む緊急呼出しの音声メッセージを出力することを特徴とする警報器。
【請求項１７】
請求項１３記載の警報器に於いて、前記緊急呼出受信処理部は、緊急呼出イベント信号を受信して緊急呼出を出力した場合、確認応答イベント信号を前記緊急呼出装置に送信して確認応答を出力させることを特徴とする警報器。
【請求項１８】
ある警報器で異常を検出した時に連動元を示す警報を出力すると共に他の警報器に異常を示すイベント信号を送信して連動先を示す警報を出力させる複数の警報器が配置された警戒エリアに設置される緊急呼出装置に於いて、
緊急呼出し操作を行う緊急呼出操作手段と、
前記緊急呼出操作手段を操作した時に、緊急呼出イベント信号を監視エリアに設置した警報器に送信して緊急呼出を出力させる緊急呼出送信処理部と、
を備えたことを特徴とする緊急呼出装置。
【請求項１９】
請求項１８記載の緊急呼出装置に於いて、更に、
前記警報器からの異常を示すイベント信号を受信する異常情報受信部と、
前記異常情報受信部で異常情報を受信した際に、異常警報を出力する異常警報部と、
を備えたことを特徴とする緊急呼出装置。
【請求項２０】
請求項１８記載の緊急呼出装置に於いて、前記緊急呼出送信処理部は、前記緊急呼出イベント信号に、予め割当てられた装置番号を含めて送信し、前記警報器から前記割当番号を含む緊急呼出を出力させることを特徴とする緊急呼出装置。
【請求項２１】
請求項１８記載の緊急呼出装置に於いて、前記緊急呼出送信処理部は、前記緊急呼出イベント信号を送信した後に前記警報器から確認応答イベント信号を受信した時、表示灯を動作して確認応答を表示させることを特徴とする緊急呼出装置。
【請求項２２】
請求項２０記載の緊急呼出装置に於いて、前記緊急呼出送信処理部は、前記確認応答イベント信号が受信されない場合、前記緊急呼出イベント信号を確認応答が得られるまで所定回数リトライ送信することを特徴とする緊急呼出装置。
【発明の詳細な説明】
【技術分野】
【０００１】
本発明は、火災などの異常を検出して警報すると共に他の警報器に信号を送信して警報を連動出力させる警報システム、警報器及び緊急呼出装置に関する。
【背景技術】
【０００２】
従来、住宅における火災を検出して警報する住宅用警報器（以下「住警器」という）が普及しており、近年にあっては、複数の住警器を、無線等で相互に通信させ、１つの住警器の異常情報を他の警報器でも警報できる連動型警報システム向けの住警器が実用化されている。これらの中には電池電源によって動作するものがある。
【０００３】
無線通信を行う連動型の警報システムにあっては、火災を検出した連動元の住警器は、例えば「ウーウー  火事です  火事です」との音声メッセージを出力し、一方、連動先の住警器では「ウーウー  別の火災警報器が作動しました  確認してください」という音声メッセージを出力するようにしている。
【０００４】
このような連動型の警報システムは、一般家庭のみならず、高齢者向けのグループホームなどといった共同生活施設への設置により火災を早期に発見して警報することで、コスト負担を強いることなく、火災などの異常を監視するシステムとしての活用が期待されている。
【先行技術文献】
【特許文献】
【０００５】
【特許文献１】特開２００７−０９４７１９号公報
【発明の概要】
【発明が解決しようとする課題】
【０００６】
しかしながら、従来の連動型の警報システムにあっては、火災やガス漏れといった異常を監視して警報することを主眼にしているが、警報システムが設置される一般家庭やグループホームなどで高齢者が居住している場合、高齢者が体調不良などを起すことがあり、このような緊急事態には対応できない点が課題として残されている。
【０００７】
このような居住者の緊急事態に対応するため、高齢者などの居室に緊急通報装置を設け、押釦操作を行ったときに緊急通報信号を有線又は無線により通報装置に送信し、緊急呼出を行うようにした緊急通報システムも考えられている。
【０００８】
しかし、火災などの異常を監視する警報システムに加え、緊急呼出のための緊急通報システムを別途設置することは経済的負担が大きく、一般家庭やグループホームなどでの実用化は困難な状況にある。
【０００９】
本発明は、火災などの異常を監視する連動型の警報システムを活用して少ないコスト負担で緊急呼出を可能とする警報システム、警報器及び緊急呼出装置を提供することを目的とする。
【課題を解決するための手段】
【００１０】
（警報システム）
本発明は、監視エリアに複数の警報器を配置し、ある警報器で異常を検出した時に連動元を示す警報を出力すると共に他の警報器に異常を示すイベント信号を送信して連動先を示す警報を出力させる警報システムに於いて、
入力操作により緊急呼出イベント信号を送信する１又は複数の緊急呼出装置を設け、緊急呼出装置からの緊急呼出イベント信号を受信した警報器は緊急呼出を出力することを特徴とする。
【００１１】
本発明の別の形態にあっては、監視エリアに複数の警報器を配置し、ある警報器で異常を検出した時に連動元を示す警報を出力すると共に他の警報器に異常を示すイベント信号を送信して連動先を示す警報を出力させる警報システムに於いて、
入力操作により緊急呼出イベント信号を送信する１又は複数の緊急呼出装置を設け、緊急呼出装置からの緊急呼出イベント信号を受信した警報器は緊急呼出を出力すると共に、他の警報器に緊急呼出イベント信号を送信して緊急呼出を連動して出力させることを特徴とする。
【００１２】
ここで、警報器は緊急呼出イベント信号を処理するか否かを選択する機能を設け、緊急呼出イベント信号の処理を選択した警報器のみが緊急呼出イベント信号を受信して緊急呼出を出力する。
【００１３】
また、予め定めた複数の警報器で緊急呼出の連動グループを構成し、緊急呼出の連動グループに属する警報器のみが緊急呼出イベント信号を受信して緊急呼出を出力するようにしても良い。
【００１４】
複数の警報器につき親機と子機を設定した場合、親機に設定された警報器のみが緊急呼出イベント信号を受信して緊急呼出を出力するようにしても良い。
【００１５】
警報器は、緊急呼出として音声メッセージを出力する。
【００１６】
また、緊急呼出装置は割当て番号を含む緊急呼出イベント信号を送信し、警報器は緊急呼出として記割当て番号を含む緊急呼出しの音声メッセージを出力する。
【００１７】
警報器は、緊急呼出として更に表示灯を動作する。
【００１８】
警報器は、緊急呼出イベント信号を受信して緊急呼出を出力した場合、確認応答イベント信号を緊急呼出装置に送信して確認応答を出力させる。
【００１９】
緊急呼出装置は、確認応答イベント信号が受信されない場合、緊急呼出イベント信号の確認応答が得られるまで所定回数リトライ送信する。
【００２０】
緊急呼出装置は緊急呼出イベント信号を無線送信する。また、緊急呼出装置は特定の警報器に信号線により接続され、緊急呼出イベント信号を有線送信するようにしても良い。
【００２１】
（警報器）
本発明は、
監視エリアの物理的現象を検出して出力するセンサ部と、
警報音と警報表示により異常警報を出力する報知部と、
センサ部の検出出力による異常の有無を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出した時に、報知部からの警報音と警報表示により連動元を示す異常警報を出力させると共に、異常を示すイベント信号を他の警報器に送信させ、一方、他の警報器から異常を示すイベント信号を受信した時に、報知部からの警報音と警報表示により連動先を示す異常警報を出力させる警報処理部と、
を設けた警報器に於いて、
監視エリアに配置した入力操作により緊急呼出イベント信号を送信する１又は複数の緊急呼出装置からの緊急呼出イベント信号を受信して緊急呼出を出力すると共に、他の警報器に緊急呼出イベント信号を送信して緊急呼出を連動して出力させる緊急呼出受信処理部を設けたことを特徴とする。
【００２２】
ここで、緊急呼出イベント信号を処理するか否かを選択する緊急呼出選択操作手段を設け、緊急呼出イベント信号の処理を選択した場合にのみが緊急呼出受信処理部を動作させる。
【００２３】
緊急呼出受信処理部は、緊急呼出として音声メッセージを出力すると共に表示灯を動作させる。
【００２４】
緊急呼出受信処理部は、緊急呼出装置から割当て番号を含む緊急呼出イベント信号を受信し、緊急呼出として割当て番号を含む緊急呼出しの音声メッセージを出力する。
【００２５】
緊急呼出受信処理部は、緊急呼出イベント信号を受信して緊急呼出を出力した場合、確認応答イベント信号を記緊急呼出装置に送信して確認応答を出力させる。
【００２６】
（緊急呼出装置）
本発明は、ある警報器で異常を検出した時に連動元を示す警報を出力すると共に他の警報器に異常を示すイベント信号を送信して連動先を示す警報を出力させる複数の警報器が配置された警戒エリアに設置される緊急呼出装置に於いて、
緊急呼出し操作を行う緊急呼出操作手段と、
緊急呼出操作手段を操作した時に、緊急呼出イベント信号を監視エリアに設置した警報器に送信して緊急呼出を出力させる緊急呼出送信処理部と、
を備えたことを特徴とする。
【００２７】
ここで、緊急呼出装置は、更に、
警報器からの異常を示すイベント信号を受信する異常情報受信部と、
異常情報受信部で異常情報を受信した際に、異常警報を出力する異常警報部と、
を備える。
【００２８】
緊急呼出送信処理部は、緊急呼出イベント信号に、予め割当てられた装置番号を含めて送信し、警報器から割当番号を含む緊急呼出を出力させる。
【００２９】
緊急呼出送信処理部は、緊急呼出イベント信号を送信した後に警報器から確認応答イベント信号を受信した時、表示灯を動作して確認応答を表示させる。
【００３０】
緊急呼出送信処理部は、確認応答イベント信号が受信されない場合、緊急呼出イベント信号を確認応答が得られるまで所定回数リトライ送信する。
【発明の効果】
【００３１】
本発明によれば、火災などの異常を監視する連動型の警報システムの監視エリアに緊急呼出装置を設置し、緊急呼出装置の押釦操作により緊急呼出イベント信号を警報器に送信し、警報器から緊急呼出の音声メッセージを出力させることで、警報システムに対する通信機能をもった緊急呼出装置を準備し、受信側の機器を特に準備することなく、緊急通報システムの機能を少ないコスト負担で容易に実現することができる。
【００３２】
このため一般家庭やグループホームなどで高齢者が体調を崩した場合の緊急通報は勿論のこと、火災時に逃げ遅れた人が、その旨を通報する場合などにも活用できる。
【００３３】
また、警報器に緊急呼出の有無を選択設定する機能を設けることで、全ての警報器から緊急呼出を出力するのではなく、必要な警報器のみから緊急呼出を出力させることができる。
【００３４】
また、監視エリアに複数の緊急呼出装置が設置されている場合、ネットワークアドレス等の割当番号に基づく緊急呼出、例えば「○○番で緊急呼出しです」といった音声メッセージを出力することで、グループホームなどのように居室の多い施設であっても、呼出先を明確に認識して迅速に対応することができる。
【図面の簡単な説明】
【００３５】
【図１】住宅に対する本発明の警報システムの設置状態を示した説明図
【図２】本発明による無線式の住警器の外観を示した説明図
【図３】図１の警報システムに設けた住警器の実施形態を示したブロック図
【図４】本実施形態で使用するイベント信号のフォーマットを示した説明図
【図５】図３の住警器による基本的な処理を示したフローチャート
【図６】図５のステップＳ５における警報処理の詳細を示したフローチャート
【図７】図６に続く警報処理の詳細を示したフローチャート
【図８】図３の緊急呼出装置による緊急呼出送信処理を示したフローチャート
【図９】図５のステップＳ６における緊急呼出受信処理の詳細を示したフローチャート
【図１０】警報器に緊急呼出装置を信号線接続した本発明による警報システムの他の実施形態を示したブロック図
【図１１】緊急呼出装置に確認機能を設けた本発明による警報システムの他の実施形態を示したブロック図
【図１２】図１１の緊急呼出装置による緊急呼出送信処理を示したフローチャート
【図１３】図１１の実施形態について図５のステップＳ６における緊急呼出受信処理の詳細を示したフローチャート
【図１４】信号線接続した緊急呼出装置に確認機能を設けた本発明による警報システムの他の実施形態を示したブロック図
【図１５】グループホームに対する本発明による警報システムの設置状態を示した説明図
【発明を実施するための形態】
【００３６】
図１は住宅に対する本実施形態の警報システムの設置状態を示した説明図である。図１の例にあっては、住宅２４に設けられている台所、居間、老人居室、主寝室、子供部屋のそれぞれに本実施形態の火災を検出して警報する住警器１０−１〜１０−６が設置され、更に老人居室には緊急呼出装置１５が設置されている。
【００３７】
住警器１０−１〜１０−６は、イベント信号を無線により相互に送受信して連動警報する機能を備え、住宅全体の火災監視を行っている。
【００３８】
いま住宅２４の２階中央の子供部屋で万一、火災が発生したとすると、住警器１０−５が火災を検出して火災警報（異常警報）を開始する。火災を検出して火災警報を開始することを、住警器における「発報」という。住警器１０−５が火災を検出すると、住警器１０−５は連動元として機能し、連動先となる他の住警器１０−１〜１０−４，１０−６に対し、火災を示すイベント信号を無線により送信する。他の住警器１０−１〜１０−４，１０−６は、連動元の住警器１０−５からの火災を示すイベント信号を受信した場合に、警報音と警報表示により連動先としての火災警報動作を行う。
【００３９】
ここで連動元となった住警器１０−５の警報音としては、例えば音声メッセージにより「ウーウー  火事です  火事です」を出力する。一方、連動先の住警器１０−１〜１０−４，１０−６にあっては、「ウー  ウー  別の火災警報器が作動しました  確認してください」といった音声メッセージを出力する。
【００４０】
また連動元となった住警器１０−５の火災警報に伴う表示としては、例えばＬＥＤを点灯させる。一方、連動先の住警器１０−１〜１０−４，１０−６にあっては、ＬＥＤを点滅させる。これによって、連動元警報と連動先警報におけるＬＥＤによる警報表示を区別できるようにしている。
【００４１】
なお、連動元のＬＥＤを点滅とし、連動先のＬＥＤを明滅としても良いし、連動元警報と連動先警報のいずれについても、同じＬＥＤの明滅または点滅、点灯表示であっても良い。更に、連動元と連動先で表示色を異ならせても良い。
【００４２】
住警器１０−１〜１０−６が火災の警報を出している状態で、警報停止スイッチを操作すると、警報音及び警報表示の停止処理が行われる。このとき、警報停止処理についても他の住警器と連動するようにしても良い。
【００４３】
また住警器１０−１〜１０−６は、センサ障害や電池の電池電圧が低下してバッテリー切れに近付くローバッテリー障害を監視している。
【００４４】
例えば住警器１０−１でセンサ障害を検出した場合は、連動元を示すセンサ障害の警報音としてスピーカから「ピッ、故障です」を所定回数連続出力し、その後は一定時間ごとに「ピッ、故障です」を所定回数出力する処理を繰り返す。またセンサ障害を検出した状態で警報停止スイッチによる点検操作を検出すると、「ピッ、故障です  販売店に連絡して下さい」を１回出力する。また連動元を示す障害警報音に同期してＬＥＤの点灯、点滅、明滅による表示を行う。
【００４５】
住警器１０−１で検出されたセンサ障害は、例えば連動元でセンサ障害警報を出力する毎にイベント信号により他の住警器１０−２〜１０−６に送られ、連動先を示すセンサ障害の警報音としてスピーカから「ピッ  別の警報器が故障です」を出力する。また連動先を示す警報音に同期して連動元の駆動とは異なるＬＥＤの点灯、点滅、明滅による表示を行う。
【００４６】
また住警器１０−１で電池のローバッテリー障害を検出した場合は、連動元を示すローバッテリー障害の警報音としてスピーカから「ピッ、電池切れです」を所定回数連続出力し、その後は一定時間ごとに「ピッ、電池切れです」を所定回数出力する処理を繰り返す。また電池切れを検出した状態で警報停止スイッチによる点検操作を検出すると、「ピッ、電池切れです  電池を交換して下さい」を１回出力する。また連動元を示すローバッテリー障害の警報音に同期してＬＥＤの点灯、点滅、明滅による表示を行う。
【００４７】
住警器１０−１で検出されたローバッテリー障害は、例えば連動元でローバッテリー障害警報を出す毎にイベント信号により他の住警器１０−２〜１０−６に送られ、連動先を示すローバッテリー障害の警報音としてスピーカから「ピッ  別の警報器が電池切です」を出力する。
【００４８】
住警器１０−１〜１０−６が障害警報を出している状態で、警報停止スイッチを操作すると、警報音及び警報表示の停止処理が行われる。このとき、警報停止処理についても他の住警器と連動するようにしても良い。
【００４９】
老人居室に設置した緊急呼出装置１５は、緊急呼出し操作を行う緊急呼出操作手段としてノンロック型の押釦スイッチを備え、押釦スイッチを操作した時に、緊急呼出イベント信号を監視エリアに設置した住警器１０−１〜１０−６に無線送信し、緊急呼出を出力させる。
【００５０】
緊急呼出装置１５を設けたことに伴い住警器１０−１〜１０−６は、緊急呼出装置１５からの緊急呼出イベント信号を受信した時に、緊急呼出の音声メッセージを出力すると共に、他の警報器に緊急呼出イベント信号を送信して緊急呼出を連動して出力させる。住警器１０−１〜１０−６から出力される緊急呼出メッセージとしては例えば「緊急呼出しです」を例えば３回繰り返す。この緊急呼出と同時にＬＥＤを点滅させるなどの表示動作を行っても良い。
【００５１】
図２は図１の警報システムに設けた住警器（住宅用火災警報器）の外観を示した説明図であり、図２（Ａ）に正面図を、図２（Ｂ）に側面図を示している。
【００５２】
図２において、本実施形態の住警器１０の筐体はカバー１２と本体１４で構成され、この内部に各種機能部品が内蔵されている。カバー１２の中央には、周囲に煙流入口を開口し、その内部には検煙部１６が配置され、火災による煙が所定濃度に達したときに火災を検出するようにしている。
【００５３】
カバー１２に設けた検煙部１６の左下側には音響穴１８が設けられ、この背後にブザーやスピーカを内蔵し、音声合成回路や音声アンプを介して警報音や音声メッセージを出力できるようにしている。検煙部１６の下側には警報停止スイッチ２０が設けられている。警報停止スイッチ２０は住警器の機能点検を指示する点検スイッチとしての機能を兼ねている。たとえば、火災警報時に警報停止スイッチ２０が操作されると警報を停止し、通常状態で警報停止スイッチ２０が操作されると所定の機能点検を実施して結果を報知する。
【００５４】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように警報表示を行うＬＥＤ２２が配置されており、ＬＥＤ２２が点灯すると、警報停止スイッチ２０のスイッチカバーの部分を透過してＬＥＤ２２の点灯状態が外部から分かるようにしている。
【００５５】
また本体１４の裏側上部には取付フック１７が設けられており、例えば設置する部屋の壁にビスなどをねじ込み、この取付フック１７にビスを通すことで、壁面に住警器１０を設置することができる。
【００５６】
なお図２の住警器１０にあっては、検煙部１６を備えた火災による煙を検出する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００５７】
図３は図２の警報システムに設けた住警器の実施形態を示したブロック図であり、図２に示した６台の住警器１０−１〜１０−６につき、その内の住警器１０−１について回路構成を詳細に示している。他の住警器１０−２〜１０−６についても同様の構成となる。
また図３は緊急呼出装置の実施形態も併せて示している。
【００５８】
住警器１０−１と他の住警器１０−２〜１０−６を結ぶ矢印は、全てに連動モードを設定した場合に、それぞれが相互に通信することを示しているが、たとえば住警器１０−２と住警器１０−６なども相互に通信させるようにしている。
【００５９】
住警器１０−１はワンチップＣＰＵとして知られたプロセッサ２８を備え、プロセッサ２８に対してはアンテナ３１を備えた無線通信部３０、記録回路部（メモリ）３２、センサ部３４、報知部３６、操作部３８及び電池電源４０を設けている。
【００６０】
無線通信部３０には送信回路４２と受信回路４４が設けられ、他の住警器１０−２〜１０−５との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００６１】
もちろん無線通信部３０としては、日本国内以外の場所については、その地域の割当無線局の標準規格に準拠した内容を持つことになる。
【００６２】
記憶部としてのメモリ３２には、イベント信号の順番を示す連続番号である連番４８、各住警器を特定するＩＤ（識別子）となる送信元符号５０及び図１のように住宅に設置した住警器１０−１〜１０−６で連動警報を行う連動グループを構成するためのグループ符号５２が格納されている。連番４８、送信元符号５０及びグループ符号５２は連動モードを設定した場合にのみ有効となる。即ち、他の警報器との間で信号の送受信を行わない場合には使用しない。
【００６３】
連番４８は警報器間の通信に於いてイベント信号の中継処理等を管理するためのものであるが、本発明に直接関係しないので詳細な説明を省略する。
【００６４】
送信元符号５０としては、国内に提供される住警器の数を予測し、例えば同一符号として重複しないように２６ビットの符号コードが使用され、例えば、住警器のシリアル番号を利用する。
【００６５】
グループ符号５２は連動グループを構成する複数の住警器に共通に設定される符号であり、無線通信部３０で受信した他の住警器からのイベント信号に含まれるグループ符号がメモリ３２に登録しているグループ符号５２に一致したときに、このイベント信号を有効な信号として受信して処理することになるので、近隣の住宅等に設置された、連動を要しない他グループの警報器との不要な連動を回避出来る。
【００６６】
なお、住警器１０−１〜１０−６及び緊急呼出装置１５には、必要に応じて例えば８ビットのネットワークアドレスが付与され、送信元符号５０はネットワークアドレスと共に管理される。
【００６７】
センサ部３４には、煙を検出して信号を出力する検煙部１６を設けている。センサ部３４には検煙部１６以外に、火災による温度を検出するサーミスタ等の温度検出素子や、火災に伴うその他の物理現象変化を検出する各種素子を設けてもよい。
【００６８】
報知部３６には警報音を出力するスピーカ５６と警報表示を行うＬＥＤ２２が設けられている。スピーカ５６は、図示しない音声合成回路部からの音声メッセージや警報音を、図示しない増幅部を介して出力する。ＬＥＤ２２は点滅や明滅、点灯などにより、火災などの異常を表示する。スピーカ５６に代えて、ブザー等を用いても良い。またＬＥＤ２２に代え、２色ＬＥＤを設けても良い。
【００６９】
操作部３８には警報停止スイッチ２０と緊急呼出選択スイッチ５８が設けられている。警報停止スイッチ２０は、報知部３６からスピーカ５６により火災や障害の警報音を出力しているとき又はＬＥＤ２２により警報表示を行っているときにのみ警報停止スイッチとして機能する。例えば連動元を示す警報中に警報停止スイッチ２０を操作すると、警報音及び警報表示は停止され、一方、連動先を示す警報中に警報停止スイッチ２０を操作すると、警報音は停止するが、警報表示は停止または所定時間後に停止するといった警報停止処理が行われる。
【００７０】
一方、連動元または連動先を示す警報を行っていない通常監視状態で警報停止スイッチ２０は点検スイッチとして機能し、この状態で警報停止スイッチ２０を操作すると、所定の点検動作が実行されて報知部３６から点検結果を示す音声メッセージなどが出力される。
【００７１】
なお、障害警報中に警報停止スイッチ２０が操作された場合には、所定の点検を実施して結果を報知した後に障害警報停止処理を行うようにしても良い。このようにすれば、例えばセンサ故障等を再チェックした後に障害警報停止処理が行われるので、ユーザに対し、故障状態をより明確に認知させることが出来る。そして、このとき障害状態が解消している場合には、例えば「障害は解消しました」等のメッセージを出力して、障害停止処理に移行しても良い。
【００７２】
緊急呼出選択スイッチ５８は図２の本体１４の裏側などに設置した例えばディップスイッチまたはその他の切替スイッチであり、住警器１０−１から緊急呼出を出力させたくない場合は、緊急呼出選択スイッチ５８をオフ位置に操作し、一方、緊急呼出を出力させたい場合は、緊急呼出選択スイッチ５８をオン位置に操作しておく。緊急呼出選択スイッチ５８の状態は例えば住警器１０−１の電源投入による起動時にプロセッサ２８に読み込まれて選択状態が設定される。
【００７３】
なお、緊急呼出を行うか否かの選択は必ずしもスイッチによる必要はなく、別に設けた設定装置との間でコマンドを通信させて選択設定するなど、適宜の手段に代えることが出来る。
【００７４】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【００７５】
プロセッサ２８にはプログラムの実行により実現される機能として、イベント検出部６０、送信処理部６２、受信処理部６４、警報処理部６６及び緊急呼出受信処理部６８の機能が設けられている。
【００７６】
イベント検出部６０は、センサ部３４による異常（火災）検出、操作部３８による警報停止、センサ部３４の異常検出がなくなる異常復旧等のイベントを検出する。
【００７７】
送信処理部６２は、イベント検出部６０によりセンサ部３４による異常検出、操作部３８による警報停止、センサ部３４の異常検出がなくなる異常復旧等の自己のイベントを検出した時に、検出イベントを示すイベント信号を、無線通信部３０から連動先の住警器に送信させる。受信処理部６４は、住警器１０−２〜１０−６からのイベント信号を、無線通信部３０を介して受信解読する。
【００７８】
警報処理部６６は、イベント検出部６０で自己の異常として火災を検出した時にスピーカ５６から連動元を示す警報音を出力すると共に、ＬＥＤ２２を駆動して連動元を示す警報表示を行い、更に、火災を示すイベント信号を他の住警器に送信する。
【００７９】
具体的に説明すると、警報処理部６６は、センサ部３４に設けた検煙部１６の煙検出信号からイベント検出部６０で火災を検出したときに、報知部３６のスピーカ５６から連動元を示す警報音例えば「ウーウー  火事です  火事です」を繰り返し出力させると共に、ＬＥＤ２２を点灯して連動元を示す警報表示を行い、更に、火災を示すイベント信号を無線通信部３０の送信回路４２によりアンテナ３１から他の住警器１０−２〜１０−６に向けて送信させる。
【００８０】
また警報処理部６６は、他の住警器１０−２〜１０−６のいずれかから火災を示すイベント信号を無線通信部３０の受信回路４４により受信し、受信処理部６４で有効となったときに、報知部３６のスピーカ５６から連動先を示す警報音例えば「ウーウー  別の火災警報器が作動しました  確認してください」となる警報音を繰り返し出力させ、同時にＬＥＤ２２を点滅して連動先を示す警報表示を行う。
【００８１】
またイベント検出部６０はセンサ障害とローバッテリー障害を検出する。センサ障害の検出は、所定の測定時間間隔Ｔ１、例えばＴ１＝１秒間隔でセンサ部３４の検煙部１６から出力される煙検出信号をＡ／Ｄ変換により読み込んでメモリ３２のバッファ領域に保持し、例えば所定の時間間隔Ｔ２＝１０分毎に、メモリ３２のバッファ領域に保持している１０分間ぶんの検出データの平均値を求め、この平均値が所定の基準レベル（零点レベルという）を下回った時に出力停止状態である等としてセンサ部１６の障害と判定する。
【００８２】
このように煙濃度検出信号の１０分間平均値が零点レベルを下回る原因は、検煙部１６に設けている受光素子の断線、受光アンプの停止などの障害が発生したことによるものである可能性が高い。なお、センサ部１６にサーミスタなどの温度検出素子を設けた場合にも、同様にセンサ障害を検出することが出来る。
【００８３】
ローバッテリー障害の検出は、所定の測定時間間隔Ｔ３、例えばＴ３＝４時間間隔で電池電源４０の電源電圧をＡ／Ｄ変換により読み込んで所定の閾値電圧と比較し、この閾値電圧以下の時にローバッテリー障害と判定し、更にローバッテリー障害との判定が連続して所定回数続いたときにローバッテリー障害を確定する。
【００８４】
警報処理部６６は、イベント検出部６０でセンサ障害又はローバッテリー障害を検出した時に、報知部３６のスピーカ５６からの警報音とＬＥＤ２２の表示により連動元を示すセンサ障害又はローバッテリー障害警報を出力させる。また警報処理部６６は、センサ障害又はローバッテリー障害を示すイベント信号を他の住警器１０−２〜１０−６に送信して連動先を示すセンサ障害又はローバッテリー障害警報を警報音と表示で行わせる。
【００８５】
更に警報処理部６６は、他の住警器１０−２〜１０−６からセンサ障害又はローバッテリー障害を示すイベント信号を受信した時に、報知部３６からの警報音と、ＬＥＤ２２による第1の表示と異なる第２の表示による連動先を示すセンサ障害又はローバッテリー障害警報を出力させる。
【００８６】
警報処理部６６は、イベント検出部６０でセンサ障害を検出した場合、報知部３６のスピーカ５６から連動元（障害元）を示すセンサ障害の警報音としてたとえば「ピッ  故障です」を複数回連続出力し、同時にＬＥＤ２２を例えば点灯し、その後は一定時間毎に「ピッ  故障です」の音声出力とＬＥＤ２２による表示を複数回行う処理を繰り返す。
【００８７】
また警報処理部６６は、センサ障害を示すイベント信号を他の住警器１０−２〜１０−６に送信することで、連動先を示すセンサ障害警報を出力させる。このときたとえば、警報音として「ピッ  別の警報器が故障です」を出力させ、同時にＬＥＤ２２により連動元とは異なる点滅表示を行わせる。
【００８８】
また警報処理部６６は、イベント検出部６０でローバッテリー障害を検出した場合、報知部３６のスピーカ５６から連動元（障害元）を示すローバッテリー障害の警報音としてたとえば「ピッ  電池切れです」を複数回連続出力し、同時にＬＥＤ２２を例えば点灯し、その後は、一定時間毎に「ピッ  電池切れです」の音声出力とＬＥＤ２２による表示を複数回行う処理を繰り返す。
【００８９】
また警報処理部６６は、ローバッテリー障害を示すイベント信号を他の住警器１０−２〜１０−６に送信することで、連動先を示すローバッテリー障害警報を警報音として「ピッ  別の警報器が電池切れです」を出力させ、同時にＬＥＤ２２により連動元とは異なる点滅表示を行わせる。
【００９０】
更に警報処理部６６はセンサ障害又はローバッテリー障害警報の出力中に操作部３８に設けた警報停止スイッチ２０の警報停止操作を、連動元を示す障害警報出力中に検出した場合、自己の連動元を示す警報音を停止すると共に表示を所定時間継続させた後に停止し、更に連動先を示す障害警報出力中の警報器に警報停止信号を送信して警報音と表示を停止させる。
【００９１】
緊急呼出受信処理部６８は、イベント検出部６０で監視エリアに配置した緊急呼出装置１５の押釦操作（入力操作）による緊急呼出イベント信号を受信して受信処理部６４で有効と判別された時に、緊急呼出選択スイッチ５８により緊急呼出を行うことが選択されていれば、報知部３６のスピーカ５６から例えば「緊急呼出しです」となる音声メッセージを３回出力し、同時にＬＥＤ２２を例えば点滅駆動する。また緊急呼出受信処理部６８は、他の警報器１０−２〜１０−６に緊急呼出イベント信号を中継送信して緊急呼出を連動して出力させる。これによって、警報器１０−２〜１０−６の内、緊急呼び出し選択スイッチ５８により緊急呼び出しを行うことが選択されている警報器からも緊急呼び出しの音声出力が行われる。
【００９２】
次に緊急呼出装置１５を説明する。緊急呼出装置１５は、制御部７４、押釦スイッチ７６、アンテナ７５を備えた無線送信回路７８及び図示しない電池電源で構成される。
【００９３】
押釦スイッチ７６はノンロック型のスイッチであり、押釦スイッチ７６をオン操作すると緊急呼出送信部として機能する制御部７４が動作し、緊急呼出イベント信号を生成し、無線送信回路７８からアンテナ７５により住警器１０−１〜１０−６に送信させる。
【００９４】
無線送信回路７８は住警器１０−１の送信回路４４と同様、例えば４００ＭＨｚ帯の特定小電力無線局の標準規格として知られたＳＴＤ−３０またはＳＴＤ−Ｔ６７に準拠した構成を備える。
【００９５】
緊急呼出装置１５から送信された緊急呼出イベント信号は住警器１０−１〜１０−６の内、緊急呼出選択スイッチ５８により緊急呼出を行うことが選択されている住警器、例えば図１の設置例では居間と主寝室の住警器１０−２，１０−４に緊急呼出を行うことを選択しておくことで、住警器１０−２，１０−４で受信されて緊急呼出が出力される。
【００９６】
図４は本実施形態で連動警報と緊急呼出に使用するイベント信号のフォーマットを示した説明図である。図４（Ａ）において、イベント信号４６は連番４８、送信元符号５０、グループ符号５２及びイベント符号５４で構成されている。
【００９７】
連番４８はイベント信号の順番を示す連続番号であり、イベント信号を送信する毎に１つずつ増加させる。また、連番４８は住警器１０−１〜１０−６及び緊急呼出装置１５の各々で非同期に生成している。連番４８は警報器間の通信に於いてイベント信号の中継処理等を管理するためのものであるが、本発明に直接関係しないので詳細な説明を省略する。
【００９８】
送信元符号５０は例えば２６ビットの符号である。グループ符号５２は例えば８ビットの符号であり、同一グループを構成する例えば図１の住警器１０−１〜１０−６及び緊急呼出装置１５につき同じグループ符号が設定されている。
【００９９】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【０１００】
イベント符号５４は、火災、ガス漏れ、緊急呼出などのイベント内容を表す符号であり、本実施形態にあっては３ビット符号を使用しており、例えば「００１」で火災、「０１０」でガス漏れ、「０１１」で警報停止、「１００」で復旧、「１０１」でセンサ障害、「１１０」でローバッテリー障害、「１１１」で緊急呼出としている。なおイベント符号４２のビット数は、更に４ビット、５ビットと増加させることで、更に多くのイベント内容を表すことができる。
【０１０１】
図４（Ｂ）は本実施形態の緊急呼出装置１５から送信する緊急呼出イベント信号７０の他のフォーマットであり、この緊急呼出イベント信号にあっては、更に、アドレス７２を加えたことを特徴とする。
【０１０２】
本実施形態にあっては、図１の監視エリアに緊急呼出装置１５を複数台設置する場合があり、その場合、緊急呼出を行った装置を特定する音声メッセージが必要となる。そこで図１のような警報システムの住警器１０−１〜１０−６及び緊急呼出装置１５に、例えば８ビットのネットワークアドレスを予め設定しておき、このネットワークアドレスを図４（Ｂ）のようにアドレス７２として含め、受信した住警器でアドレス７２から緊急呼出装置１５の番号を特定し、例えば「○○番から緊急呼出しです」とする装置番号を特定した音声メッセージを出力させることができる。
【０１０３】
図４（Ｃ）は本実施形態の緊急呼出装置１５から送信する緊急呼出イベント信号７０の他のフォーマットであり、この緊急呼出イベント信号７０にあっては、グループアドレスに代えて緊急呼出グループアドレス７３を新たに設けたことを特徴とする。
【０１０４】
緊急呼出グループアドレス７３は、緊急呼出を行う機器グループを構築するもので、例えば図１のシステムで住警器１０−２，１０−４のみから緊急呼出を行うようにしたい場合は、住警器１０−２，１０−４に緊急呼出グループ符号を予め登録し、緊急呼出装置１５から図４（Ｃ）の緊急呼出信号７０を受信した時、受信した緊急呼出グループ符号と登録した緊急呼出グループ符号の一致を判別して緊急呼出を行う。これによって図３の住警器１０−１に示した緊急呼出選択スイッチ５８による選択操作を不要にできる。
【０１０５】
図５は図３の住警器１０−１における基本的な処理を示したフローチャートである。図５において、住警器１０−１の電池電源４０による電源供給が開始されると、ステップＳ１で初期化および自己診断を実行し、異常がなければステップＳ２に進み、緊急呼出選択スイッチ５８のオン又はオフを判別し、スイッチオンを判別するとステップＳ３に進み、緊急呼出モードを設定し、一方、ステップＳ２でスイッチオフを判別した場合はステップＳ４に進み、緊急呼出禁止モードを設定する。
【０１０６】
続いてステップＳ５で火災などの異常を監視する警報処理を行った後、ステップＳ６で緊急呼出処理を実行し、これを繰り返す。
【０１０７】
図６及び図７は図５のステップＳ５における警報処理の一例を示したフローチャートであり、プロセッサ２８のプログラムの実行による処理となる。
【０１０８】
図６において、警報処理は、ステップＳ１１で火災を監視しており、センサ部３４から出力された煙検出信号が所定の火災レベルを超えると火災を判別してステップＳ１２に進み、連番、送信元符号、グループ符号、火災を示すイベント符号を含むイベント信号を他の住警器に無線により送信した後、ステップＳ１３でスピーカ５６からの警報音とＬＥＤ２２の点灯による警報表示とにより連動元を示す火災警報を出力する。
【０１０９】
続いて、ステップＳ１４でセンサ部３４からの煙検出信号が低下して火災状態が解消する火災復旧の有無を判別しており、火災復旧を判別するとステップＳ１５で連番、送信元符号、グループ符号、火災復旧を示すイベント符号を含むイベント信号を他の住警器に送信した後、ステップＳ１６でスピーカ５６からの警報音とＬＥＤ２２の点灯による警報表示とによる連動元を示す火災警報を停止する。
【０１１０】
続いてステップＳ１７で警報停止スイッチ２０の操作の有無を判別し、スイッチ操作が判別されるとステップＳ１８で警報中の有無を判別する。ステップＳ１８で警報中が判別されると、ステップＳ１９に進んで連番、送信元符号、グループ符号、警報停止を示すイベント符号を含むイベント信号を他の住警器に送信し、ステップＳ２０に進んで連動元を示すスピーカ５６からの警報音を停止し、ＬＥＤ２２の点灯による警報表示を消灯する。
【０１１１】
またステップＳ１８で警報中でなかった場合には、これは通常状態であることからステップＳ２１に進んで連番、送信元符号、グループ符号、点検を示すイベント符号を含むイベント信号を他の住警器に送信し、ステップＳ２２に進んで所定の点検処理を実行し、連動元を示すスピーカ５６からのその時の住警器の状態を示す点検メッセージを出力させる。
【０１１２】
続いて図７のステップＳ２３で他の住警器からの火災を示すイベント信号受信の有無を判別している。他の住警器からの火災を示すイベント信号受信を判別すると、ステップＳ２４に進んで連動先を示す火災警報としてスピーカ５６からの警報音とＬＥＤ２２の点滅による警報表示を行う。このとき、自身が連動元としての警報中である場合には、引き続き連動元としての警報動作を継続する。
【０１１３】
次にステップＳ２５で他の住警器からの火災復旧を示すイベント信号受信の有無を判別しており、火災復旧を示すイベント信号を受信すると、ステップＳ２６に進んで連動先の警報として行っているスピーカ５６からの警報音とＬＥＤ２２の点滅による警報表示を停止する。
このとき、自身が連動元として動作している場合には、警報を停止せずに継続する。
【０１１４】
次にステップＳ２７で他の住警器からの警報停止を示すイベント信号の受信の有無をチェックしており、警報停止を示すイベント信号の受信を判別すると、ステップＳ２８に進んで警報中の有無を判別し、警報中を判別するとステップＳ２９に進んで連動先の警報音を停止し、警報表示も停止させる。このとき、自身が連動元として動作している場合には、警報を停止せずに継続する。
【０１１５】
次にステップＳ３０で他の住警器からの点検を示すイベント信号の受信の有無をチェックしており、点検を示すイベント信号の受信を判別すると、ステップＳ３１に進んで自身が警報中か否か判別し、警報中出なければステップＳ３２に進んで住警器の状態を示す点検結果メッセージをスピーカ５６から出力させる。またテップＳ３１で自身が警報中であることを判別した場合は警報を継続し、点検処理はキャンセルするか遅延させる。
【０１１６】
図８は図３に設けた緊急呼出装置１５の緊急呼出送信処理を示したフローチャートである。図８において、緊急呼出送信処理は、ステップＳ４１で押釦スイッチ７６の操作の有無を判別しており、緊急呼出操作を判別するとステップＳ４２に進み、例えば図４（Ａ）のイベント符号５４を、緊急呼出を示す「１１１」としたイベント信号を生成し、無線送信回路７８から送信する。
【０１１７】
続いてステップＳ４３で所定時間経過を判別しており、所定時間を経過するとステップＳ４４に進み、ステップＳ４２で送信したと同じ緊急呼出イベント信号をリトライ送信する。
【０１１８】
なお、図８にあっては、一定時間を空けて２回緊急呼出信号を送信して通信の信頼性を高めているが、２回目のリトライ送信を省略して１回の送信だけでも良い。
【０１１９】
図９は図５のステップＳ６における住警器１０−１の緊急呼出受信処理の詳細を示したフローチャートであり、緊急呼出装置１５から図８のフローチャートに従って緊急呼出信号が送信された場合を例にとっている。
【０１２０】
図９において、緊急呼出受信処理は、ステップＳ５１で緊急呼出イベント信号の受信を判別すると、ステップＳ５２に進み、緊急呼出選択スイッチ５８による緊急呼出の選択、即ち緊急呼出モードが設定されているか否か判別し、選択されていればステップＳ５３に進み、緊急呼出メッセージ、例えば「緊急呼出しです」を出力する。
【０１２１】
続いてステップＳ５４で受信した緊急呼出イベント信号をそのまま他の住警器に中継送信する。この中継送信により受信された緊急呼出イベント信号に対しては、中継先で既に緊急呼出が出力されていれば、何も行われない。住警器の火災警報中に緊急呼び出しが行われた場合、火災警報と緊急呼び出しを同時並行的に出力するのが望ましいが、運用上問題のない範囲でどちらかの処理を優先させることが出来る。
【０１２２】
図１０は本発明による警報システムの他の実施形態を示したブロック図であり、この実施形態にあっては、住警器１０−１に対し緊急呼出装置１５を信号線接続するようにしたことを特徴とする。
【０１２３】
図１０において、住警器１０−１には移報部８２が設けられ、移報部８２には移報受信回路８４と移報送信回路８６が設けられている。緊急呼出装置１５には無線送信回路に代えて有線送信回路８０が設けられ、移報信号線８１により住警器１０−１の移報受信回路８４に接続している。移報部８２の移報送信回路８６は、外部に有線で警報を移報するもので、必要に応じて設けられる（図３の実施形態に於いても、必要に応じて設けることが出来る）。これ以外の住警器１０−１及び緊急呼出装置１５の構成と機能は図３の実施形態と同じである。
【０１２４】
緊急呼出装置１５の制御部７４は、押釦スイッチ７６による緊急呼出操作を検出すると、有線送信回路８０から緊急呼出信号として例えば無電圧の接点信号を出力する。具体的には移報信号線８１の終端に接続している接点をオンする。
【０１２５】
たとえば住警器１０−１の移報受信回路８４は移報信号線８１のプラス側を、抵抗を介して電源電圧にプルアップし、移報信号線８１のマイナス側を接地接続している。線送信回路８０の接点がオンすると、入力電圧がＨレベルからＬレベルに低下し、これによって緊急呼出信号の受信を検出してプロセッサ２８に通知し、緊急呼出受信処理部６８により報知部３６のスピーカ５６から緊急呼出の音声メッセージが出力される。
【０１２６】
また、緊急呼び出し装置と警報器を双方向の有線通信とし、緊急呼出装置に警報出力機能を設けて、緊急呼出装置でも火災警報が行えるようにすることも出来る。たとえば緊急呼出装置に有線受信回路を設けて住警器１０−１の移報送信回路と有線接続することで双方向の信号授受が可能になる。このようにすれば、警報器に比べ高齢者等のより近くに有る緊急呼び出し装置で火災警報が行われるので、警報音や警報表示が認知し易く、安全性を高めることが出来る。
【０１２７】
図１１は本発明による警報システムの他の実施形態を示したブロック図であり、この実施形態にあっては、緊急呼出装置１５で確認応答を受けるようにしたことを特徴とする。
【０１２８】
図１１において、緊急呼出装置１５には無線送信回路７８に加え、更に、無線受信回路８８と表示灯９０が設けられている。これ以外の緊急呼出装置１５の構成と機能は図３の実施形態と同じである。
【０１２９】
緊急呼出装置１５の制御部７４は、押釦スイッチ７６による緊急呼出操作を検出すると、無線送信回路７８から緊急呼出イベント信号を送信する。住警器１０−１の緊急呼出受信部６８は、緊急呼出イベント信号の受信に基づいて報知部５６のスピーカ５６から緊急呼出の音声メッセージを出力するが、これに加え本実施形態にあっては、確認応答イベント信号を送信する。
【０１３０】
緊急呼出装置１５は緊急呼出イベント信号の送信後に、確認応答イベント信号を無線受信回路８８から受信すると、制御部７４はＬＥＤなどの表示灯９０の表示制御を行う。例えば緊急呼出イベント信号の送信で表示灯９０を点滅し、確認応答イベント信号を受信したら点灯に切替え、その後、消灯する。
【０１３１】
このようなに緊急呼出に対し確認応答を表示することにより、緊急呼出を行った人は、緊急呼出が確実に行われたことを確認応答表示から知ることができ、一方、確認応答表示がない場合は再度呼出操作を行うことで、適切に対応できる。
【０１３２】
図１２は図１１に設けた緊急呼出装置１５の緊急呼出送信処理を示したフローチャートである。図１２において、緊急呼出送信処理は、ステップＳ６１で押釦スイッチ７６の操作の有無を判別しており、緊急呼出操作を判別するとステップＳ６２に進み、例えば図４（Ａ）のイベント符号５４を、緊急呼出を示す「１１１」としたイベント信号を生成し、無線送信回路７８から送信する。
【０１３３】
続いてステップＳ６３で確認応答イベント信号の受信の有無を判別しており、ステップＳ６４で所定時間を経過する前に確認応答イベント信号を受信判別するとステップＳ６７に進み、表示灯９０による確認応答表示を行う。
【０１３４】
ステップＳ６３で確認応答イベント信号を受信判別することなく、ステップＳ６４で所定時間経過が判別されると、ステップＳ６５に進んで所定のリトライ回数に達したか否か判別し、所定のリトライ回数未満であればステップＳ６２に戻り、同じ緊急呼出イベント信号をリトライ送信する。ステップＳ６３で確認応答イベント信号を受信判別せずにステップＳ６５で所定のリストラス回数への到達を判別すると、ステップＳ６６でエラー表示を行う。
【０１３５】
図１３は図５のステップＳ６における緊急呼出受信処理の詳細を示したフローチャートであり、図１２の緊急呼出装置１５から図１２のフローチャートに従って緊急呼出信号が送信された場合を例にとっている。
【０１３６】
図１３において、緊急呼出受信処理は、ステップＳ７１で緊急呼出イベント信号の受信を判別すると、ステップＳ７２に進み、緊急呼出選択スイッチ５８による緊急呼出の選択、即ち緊急呼出モードが設定されているか否か判別し、選択されていればステップＳ７３に進み、緊急呼出メッセージ、例えば「緊急呼出しです」を出力する。
【０１３７】
続いてステップＳ７４で受信した緊急呼出イベント信号をそのまま他の住警器に中継送信する。更にステップＳ７５で確認応答イベント信号を生成して送信し、緊急呼出装置１５に確認応答表示を行わせる。
【０１３８】
図１４は本発明による警報システムの他の実施形態を示したブロック図であり、この実施形態にあっては、住警器１０−１との信号線接続により緊急呼出装置１５で確認応答を受けるようにしたことを特徴とする。
【０１３９】
図１４において、緊急呼出装置１５には図１０の有線送信回路８０に加え、更に、有線受信回路９２と表示灯９０が設けられ、有線受信回路９２は住警器１０−１の移報部８０に設けた移報送信回路８４からの移報信号線９３に接続されている。
【０１４０】
移報送信回路８４は無電圧の接点信号を出力し、これに対し有線受信回路９２は移報信号線９３のプラス側を、抵抗を介して電源電圧にプルアップし、移報信号線９３のマイナス側を接地接続している。
【０１４１】
移報送信回路８４の接点がオンすると、有線受信回路９２の受信電圧がＨレベルからＬレベルに低下し、これによって呼出応答信号の受信を検出して制御部７４に通知する。これ以外の住警器１０−１及び緊急呼出装置１５の構成と機能は図１０の実施形態と同じである。
【０１４２】
緊急呼出装置１５の制御部７４は、押釦スイッチ７６による緊急呼出操作を検出すると、有線送信回路８０から緊急呼出信号（接点信号）を送信し、緊急呼出信号は住警器１０−１の移報受信回路８２で受信され、プロセッサ２８に通知される。
【０１４３】
プロセッサ２８の緊急呼出受信部６８は、緊急呼出信号の受信に基づいて報知部５６のスピーカ５６から緊急呼出の音声メッセージを出力するが、これに加え本実施形態にあっては、確認応答信号を移報送信回路８２から接点信号により送信する。
【０１４４】
緊急呼出装置１５の制御部７４は、緊急呼出信号の送信後に、確認応答信号を有線受信回路９２から受信すると、ＬＥＤなどの表示灯９０の表示動作を行う。例えば緊急呼出イベント信号の送信で表示灯９０を点滅し、確認応答イベント信号を受信したら点灯に切替え、その後、消灯する。
【０１４５】
この場合も、緊急呼び出し装置に警報出力機能を設けて、緊急呼び出し装置でも火災警報が行えるようにすることが出来る。このようにすれば、警報器に比べ高齢者等のより近くに有る緊急呼び出し装置で火災警報が行われるので、警報音や警報表示が認知し易く、安全性を高めることが出来る。
【０１４６】
図１５は本発明の警報システムの他の設置例であり、高齢者を対象としたグループホームなどの施設に適用した場合を例にとっている。
【０１４７】
図１５において、施設９４は高齢者が居住する１０部屋の居室９６を廊下９８に沿って配置しており、コーナ部には食堂、娯楽、管理部門を含む集合室１００が配置されている。高齢者の居室９６にはそれぞれ住警器１０−１〜１０−１０と緊急呼出装置１５−１〜１５−１０が設置され、更に廊下９８と集合室１００にも住警器１０−１１〜１０−１４が設置されている。
【０１４８】
このような高齢者向けの施設９４において、例えば斜線で示す廊下９６と集合室１００に設置された住警器１０−１１〜１０−１４に緊急呼出モードが設定され、居室９６の住警器１０−１〜１０−１０には緊急呼出禁止モードが設定されている。
【０１４９】
このため居室９６に設置されている緊急呼出装置１５−１〜１５−１０のいずれかで緊急呼出操作が行われると、廊下９８と集合室１００に設置された住警器１０−１１〜１０−１４から緊急呼出の音声メッセージが出力される。
【０１５０】
このとき図４（Ｂ）に示したアドレス４２を含む緊急呼出イベント信号を例えばアドレス１番を設定した緊急呼出装置１５−１から送信することで、廊下９６と集合室１００に設置された住警器１０−１１〜１０−１４から例えば「１番で緊急呼出です」とする音声メッセージが出力され、担当者はどの部屋からの緊急呼出かを認識し、呼出しのあった部屋に出向くことができる。
【０１５１】
また火災時に逃げ遅れた人や動けない人が緊急呼出装置１５の呼出操作を行うことで、外部に対し救助を求めることもできる。このような外部への救助要請のためには、住警器を更に出入口の外に設置して緊急呼出が外部に出力されるようにする。
【０１５２】
なお、上記の実施形態は親機と子機の区別がないシステムを例に取るものであったが、住警器１０−１を親機としてその他を子機とした警報システムにおいても、本発明を適用できる。このとき、親機を除く他の子機は、緊急呼出選択スイッチ５８のオフ操作によって緊急呼出禁止モードを設定し、親機のみを緊急呼出モードに設定し、親機のみから緊急呼出を出力させる。
【０１５３】
また、上記の実施形態は火災を検出して警報する住警器を例にとるものであったが、ガス漏れ警報器、ＣＯ警報器、各種の防犯用警報器を配置した警報システムについても同様に適用できる。
【０１５４】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【０１５５】
また上記の実施形態で述べた「受信がある」、「受信が無い」、「受信した場合」、「受信を判別」等は、受信した信号が有効なものとして認識されたか否かの判定も含んでいる。
【０１５６】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【０１５７】
また、上記の実施形態では、電池電源によって動作する住警器を例に取ったが、電池電源以外の電源で動作するものにも本発明を適用できる。
【０１５８】
また、上記の実施形態は住宅用に限らずビルやオフィス用など各種用途の警報器にも適用できる。
【０１５９】
また、上記の実施形態は警報器にセンサ部と警報出力処理部を一体に設けた場合を例にとるが、他の実施形態として、センサ部と警報出力処理部を別体とした警報器であっても良い。
【０１６０】
また本発明は上記の実施形態に限定されず、その目的と利点を損なうことのない適宜の変形を含み、更に上記の実施形態に示した数値による限定は受けない。
【符号の説明】
【０１６１】
１０，１０−１〜１０−１４：住警器
１２：カバー
１５，１５−１〜１５−１０：緊急呼出装置
１４：本体
１６：検煙部
１７：取付フック
１８：音響孔
２０：警報停止スイッチ
２１：モード選択スイッチ
２２：ＬＥＤ
２４：住宅
２６：ガレージ
２８：ＣＰＵ
３１，７５：アンテナ
３０：無線通信部
３２：メモリ
３４：センサ部
３６：報知部
３８：操作部
４０：電池電源
４２：送信回路
４４：受信回路
４６：イベント信号
４８：連番
５０：送信元符号
５２：グループ符号
５４：イベント符号
５６：スピーカ
５８：緊急呼出選択スイッチ
６０：イベント検出部
６２：送信処理部
６４：受信処理部
６６：警報処理部
６８：緊急呼出受信処理部
７２：アドレス
７４：制御部
７６：押釦スイッチ
７８：無線送信回路
８０：有線送信回路
８２：移報部
８１，９３：移報信号線
８４：移報受信回路
８６：移報送信回路
８８：無線受信回路
９０：表示灯
９２：有線受信回路
【図１】
2011081595.tif 000003
【図２】
2011081595.tif 000004
【図３】
2011081595.tif 000005
【図４】
2011081595.tif 000006
【図５】
2011081595.tif 000007
【図６】
2011081595.tif 000008
【図７】
2011081595.tif 000009
【図８】
2011081595.tif 000010
【図９】
2011081595.tif 000011
【図１０】
2011081595.tif 000012
【図１１】
2011081595.tif 000013
【図１２】
2011081595.tif 000014
【図１３】
2011081595.tif 000015
【図１４】
2011081595.tif 000016
【図１５】
2011081595.tif 000017